(57)【要約】      （修正有）【課題】便利に持ち運ぶことができ、機能の拡張性を増加するＭＩＦＩ設備を提供する。【解決手段】ＭＩＦＩ設備はＭＩＦＩモジュール１と機能拡張モジュール２を備え、ＭＩＦＩモジュール１と機能拡張モジュール２は円柱状構造であり、ＭＩＦＩモジュール１と機能拡張モジュール２は係合構造により取り外し可能に接続され、一端には設備の充電インターフェース７が設けられ、他端にはＵＳＢインターフェース８が設けられる充電ライン５はＭＩＦＩモジュール１に設けられ、設備の充電インターフェース７と充電ライン５との間には「Ｌ」状構造が形成され、ＵＳＢインターフェース８と充電ライン５との間には「Ｌ」状構造が形成される。【選択図】図２
0003216875.tif 000002
【実用新案登録請求の範囲】
【請求項１】
ＭＩＦＩモジュール（１）と機能拡張モジュール（２）を備え、前記ＭＩＦＩモジュール（１）と前記機能拡張モジュール（２）は係合構造（３）により取り外し可能に接続されている特徴とするＭＩＦＩ設備。
【請求項２】
一端には設備の充電インターフェース（７）が設けられ、他端にはＵＳＢインターフェース（８）が設けられる、ＭＩＦＩモジュール（１）に設けられる充電ライン（５）を更に備えることを特徴とする請求項１に記載のＭＩＦＩ設備。
【請求項３】
前記充電ライン（５）を前記ＭＩＦＩモジュール（１）の側壁に取り外し可能に固定され、前記充電ライン（５）は周方向に沿って前記ＭＩＦＩモジュール（１）に囲まれることを特徴とする請求項２に記載のＭＩＦＩ設備。
【請求項４】
前記ＭＩＦＩモジュール（１）の側壁には周方向に沿って環状収納溝が開設され（６）、前記充電ライン（５）は収納される状態で、前記収納溝（６）に埋め込まれることを特徴とする請求項３に記載のＭＩＦＩ設備。
【請求項５】
前記収納溝（６）には充電孔（９）とＵＳＢインターフェース収納溝（１０）が開設され、前記設備の充電インターフェース（７）は充電孔（９）に挿入され、前記ＵＳＢインターフェース（８）はＵＳＢインターフェース収納溝（１０）に挿入されることを特徴とする請求項４に記載のＭＩＦＩ設備。
【請求項６】
前記設備の充電インターフェース（７）と前記充電ライン（５）との間には「Ｌ」上構造が形成され、前記ＵＳＢインターフェース（８）と前記充電ライン（５）との間には「Ｌ」状構造が形成されることを特徴とする請求項４に記載のＭＩＦＩ設備。
【請求項７】
前記機能拡張モジュール（２）の先端部の縁には複数の凹部（４）が開設され、前記ＭＩＦＩモジュール（１）の底端部の縁には前記凹部（４）にマッチングするボスが設けられ、前記凹部（４）と前記ボスはマッチングしてしっかり係合することを特徴とする請求項１に記載のＭＩＦＩ設備。
【請求項８】
前記機能拡張モジュール（２）の一端の面には充電弾性シート（１１）が設けられ、前記機能拡張モジュール（２）と前記ＭＩＦＩモジュール（１）は係合構造により組み合わせられる状態で、前記充電弾性シート（１１）と前記ＭＩＦＩモジュール（１）の充電端にポゴピンで接続され、直接に前記充電弾性シート（１１）により前記ＭＩＦＩモジュール（１）に充電することを特徴とする請求項１に記載のＭＩＦＩ設備。
【請求項９】
前記ＭＩＦＩモジュール（１）と前記機能拡張モジュール（２）は円柱状構造であることを特徴とする請求項１に記載のＭＩＦＩ設備。
【請求項１０】
前記機能拡張モジュール（２）はパワーバンクであることを特徴とする請求項１に記載のＭＩＦＩ設備。
【考案の詳細な説明】
【技術分野】
【０００１】
本実用新案は無線通信技術領域に関し、具体的に言えば、ＭＩＦＩ設備に関する。
【背景技術】
【０００２】
現在、市販されている携帯ＭＩＦＩ設備はすべて正方形または長方形の構造になり、このような角を有する形状であるデザインは、持ち運び中には非常に不便である。また、従来の携帯ＭＩＦＩ設備はすべて充電機能のある設備と一体的に設けられているので、サイズが大きく、重量が重く、機能が単一で、分割が不可能である。ユーザーは、その１つの設備のみを使用する場合、この２つの設備を持ち運ばなければならず、ユーザーの使用体験が低下する。
【０００３】
関連技術において、ＭＩＦＩ設備が持ち運び不便で機能も単一であり、ユーザーの使用体験が悪いという問題に対して、有効な解決スキームは現在でもまだ提案されていない。
【考案の概要】
【考案が解決しようとする課題】
【０００４】
本実用新案はＭＩＦＩ設備が持ち運び不便で機能が単一であり、ユーザーの使用体験が悪いという問題を解決することを主な目的としている。
【課題を解決するための手段】
【０００５】
上記の目的を実現するために、本実用新案はＭＩＦＩ設備を提供している。
本実用新案のＭＩＦＩ設備は、ＭＩＦＩモジュールと機能拡張モジュールを備え、前記ＭＩＦＩモジュールと前記機能拡張モジュールは係合構造により取り外し可能に接続されている。
【０００６】
更に、前記ＭＩＦＩ設備は、一端に設備の充電インターフェースが設けられ、他端にはＵＳＢインターフェースが設けられ、ＭＩＦＩモジュールに設けられる充電ラインを更に備える。
【０００７】
更に、前記ＭＩＦＩモジュールの側壁に前記充電ラインが取り外し可能に固定され、前記充電ラインは周方向に沿って前記ＭＩＦＩモジュールに囲まれる。
【０００８】
更に、前記ＭＩＦＩモジュールの側壁には周方向に沿って環状収納溝が開設され、前記充電ラインが収納される状態で、前記収納溝に埋め込まれる。
【０００９】
更に、前記収納溝には充電孔とＵＳＢインターフェース収納溝が開設され、前記設備の充電インターフェースは充電孔に挿入され、前記ＵＳＢインターフェースはＵＳＢインターフェース収納溝に挿入される。
【００１０】
更に、前記設備の充電インターフェースと前記充電ラインとの間には「Ｌ」状構造が形成され、前記ＵＳＢインターフェースと前記充電ラインとの間には「Ｌ」状構造が形成される。
【００１１】
更に、前記機能拡張モジュールの先端の縁には複数の凹部が開設され、前記ＭＩＦＩモジュールの底端の縁には前記凹部にマッチングされるボスが設けられ、前記凹部と前記ボスはマッチングしてしっかり係合する。
【００１２】
更に、前記機能拡張モジュールの一端面には充電弾性シートが設けられ、前記機能拡張モジュールと前記ＭＩＦＩモジュールは係合構造により組み合わせられる状態で、前記充電弾性シートと前記ＭＩＦＩモジュールの充電端はポゴピンで接続され、直接に前記充電弾性シートにより前記ＭＩＦＩモジュールに充電する。
【００１３】
更に、前記ＭＩＦＩモジュールと前記機能拡張モジュールは円柱状構造である。
更に、前記機能拡張モジュールはパワーバンクである。
【００１４】
本実用新案の実施の形態では、ＭＩＦＩモジュールと機能拡張モジュールは係合構造により取り外し可能に接続され、一体的に組み合わせて使用されてもよいし、分割して別々に使用されてもよい。特に、機能拡張モジュールがパワーバンクである場合、充電がより便利で快速であることを保証できる。ＭＩＦＩモジュールと機能拡張モジュールは円柱状構造であり、ＭＩＦＩモジュールの側壁を囲まれるように充電ラインが設けられ、充電ラインはＭＩＦＩモジュールにおける環状収納溝により収容されて固定され、使用時に取り出されることが好ましく、便利に持ち運び、使いやすいので、ＭＩＦＩ設備を便利に持ち運び、機能の拡張性を増加し、ユーザーの使用体験も向上することが実現される。このように、ＭＩＦＩ設備が持ち運び不便で機能が単一で、ユーザーの使用体験が悪いという技術的問題を解決するものである。
【図面の簡単な説明】
【００１５】
本実用新案の一部を構成する図については、本実用新案をさらに理解するためのものであり、本実用新案の他の特徴、目的および利点をさらに明確化するものである。本実用新案の示す実施の形態の図およびその説明は本実用新案を解釈するためのものであり、本実用新案を制限するものではない。
【図１】本実用新案に係るＭＩＦＩ設備におけるＭＩＦＩモジュールと機能拡張モジュールが分割される状態の斜視図である。
【図２】本実用新案に係るＭＩＦＩ設備におけるＭＩＦＩモジュールと機能拡張モジュールを組み合わせる状態の斜視図である。
【考案を実施するための形態】
【００１６】
当業者が本実用新案のスキームをよりよく理解するために、以下、本実用新案の実施の形態の図を参照しながら、本実用新案の実施の形態の技術案を明瞭に完全に説明し、説明される実用新案は全体の実施の形態ではなく、本実用新案の一部の実施の形態のみである。本実用新案における実施の形態によれば、当業者が進歩性に値する労働を行わない前に得られる他の実施の形態はすべて本実用新案の保護範囲に属する。
【００１７】
なお、本実用新案の明細書、特許請求の範囲、図の用語「含む」およびその変形は、例えば、一連のステップまたはユニットの過程、方法、システム、製品または設備を含み、それらのステップまたはユニットを明示的にリストすることに限られる必要がなく、明示的にリストしていないことまたはこれらの過程、方法、製品または設備の固有の他のステップやユニットも含まれることができるという非排他的な範囲も覆うことを意図する。
【００１８】
本実用新案において、「上」、「下」、「先端」、「底部」等の用語が示す方向または位置関係は、図面に示された方向または位置関係に基づく方向または位置関係である。これらの用語は主として本実用新案及びその実施の形態をより良く説明するためであり、示す装置、要素、または構成要素が必ず特定の方向を有し、または特定の方向に構造と操作を行うことを限定することはない。
【００１９】
また、上記の用語では、位置または位置関係以外の他の意味を示すために使用されてもよい。例えば、用語「上」は、ある場合に応じて、ある付着関係または接続関係を示すために使用される可能性がある。当業者であれば、具体的な状況に応じて上記の用語が本実用新案における具体的な意味を理解すべきだろう。
【００２０】
さらに、「設置」、「設けられ」、「接続」という用語は、広義に解釈すべきである。例えば、固定に接続され、取り外し可能に接続され、全体の構造であってもよく、機械的接続や電気的に接続されてもよく、直接に接続や中間媒体を介して間接的に接続されてもよく、２つの装置や要素や構成部分の内部の連通であってもよい。当業者であれば、具体的な状況に応じて上記の用語が本実用新案における具体的な意味を理解できる。
【００２１】
なお、非矛盾の場合、この場合の実施形態と実施形態の特徴とを組み合わせることができる。以下、図を参照しながら実施の形態を組み合わせて本実用新案を説明する。
【００２２】
図１、２に示すように、本実用新案はＭＩＦＩ設備に関し、当該ＭＩＦＩ設備はＭＩＦＩモジュール１と機能拡張モジュール２を備え、ＭＩＦＩモジュール１と機能拡張モジュール２は円柱状構造であり、ＭＩＦＩモジュール１と機能拡張モジュール２は係合構造３により取り外し可能に接続されている。ＭＩＦＩモジュール１において、ＭＩＦＩモジュール１が囲まれる取り外し可能な充電ライン５が設けられ、充電ライン５はＭＩＦＩモジュール１の側壁に取り外し可能に固定され、充電ライン５の一端には設備の充電インターフェース７が設けられ、充電ライン５の他端にはＵＳＢインターフェース８が設けられる。ＭＩＦＩモジュール１の側壁には周方向に沿って環状収納溝６が開設され、収納溝６には設備の充電インターフェース７と ＵＳＢインターフェース８に対応する充電孔９とＵＳＢインターフェース収納溝１０が開設され、充電ライン５は収納される状態で、収納溝６に埋め込まれ、充電ライン５における設備の充電インターフェース７は充電孔９に挿入され、充電ライン５におけるＵＳＢインターフェース８はＵＳＢインターフェース収納溝１０に挿入され、取り出した状態で、充電ライン５と設備の充電インターフェース７との間には「Ｌ」状構造が形成され、充電ライン５とＵＳＢインターフェース８との間には、「Ｌ」状構造が形成される。使用過程中に充電ライン５のＵＳＢインターフェース８の一端を取り出し、充電ライン５により充電アダプタまたは機能拡張モジュール２に接続され、ＭＩＦＩモジュール１に充電することができ、さらに、全体の充電ライン５を取り出して、充電ライン５で他の外部設備に充電することができる。ＭＩＦＩモジュール１と機能拡張モジュール２は係合構造で取り外し可能に接続され、一体的に組み合わせて使用されてもよいし、分割して別々に使用されてもよい。ＭＩＦＩモジュール１と機能拡張モジュール２は円柱状構造であり、ＭＩＦＩモジュール１の側壁が囲まれるように充電ライン５が設けられ、充電ライン５はＭＩＦＩモジュール１における環状収納溝６により収納されて固定され、使用時に取り出されてもよく、便利に持ち運んで使いやすく、ＭＩＦＩ設備を便利に持ち運び、機能の拡張性を増加し、ユーザーの使用体験効果も向上することが実現される。
図１に示すように、機能拡張モジュール２の先端面の縁に沿って複数の凹部４が開設され、ＭＩＦＩモジュール１の底面の縁に沿って、凹部４にマッチングするボスが設けられ、凹部４とボスはマッチングしてしっかり係合する。異なる使用状態に応じてＭＩＦＩモジュール１と機能拡張モジュール２を取り外して組み合わせ、柔軟に操作し、便利に持ち運び、自由に使用する要求を満たす。
【００２３】
図１に示すように、機能拡張モジュール２とＭＩＦＩモジュール１との接続所の端面には充電弾性シート１１が設けられ、充電弾性シート１１は機能拡張モジュール２内部の給電端に接続され、機能拡張モジュール２とＭＩＦＩモジュール１は係合構造により組み合わせられる状態で、充電弾性シート１１はＭＩＦＩモジュール１の充電端とポゴピンで接続され、充電弾性シート１１によりＭＩＦＩモジュール１に直接に充電し、ＭＩＦＩモジュール１の正常使用を保証する。
【００２４】
機能拡張モジュール２はパワーバンクであり、機能拡張モジュール２を取り外した後に別の充電器として個別に使用されることができ、便利で速くて柔軟に操作できる。
【００２５】
当該装置は使用過程中において、ＭＩＦＩモジュール１と機能拡張モジュール２は取り外して別に使用されてもよいし、一体的に組み合わせて使用されてもよい。充電ライン５はそれぞれ設備の充電インターフェース７とＵＳＢインターフェース８を「Ｌ」状構造に形成し、充電ライン５はＭＩＦＩモジュール１の側壁における収納溝６を囲まれて置いて収納することができ、便利に持ち運び、自由に使用できる。ＭＩＦＩモジュール１と機能拡張モジュール２は円柱状構造であり、組み合わせたＭＩＦＩ設備の全体も円柱状構造になり、デザインが新しくファッショナブルであり、便利に持ち運びることができる。
【００２６】
上述は本実用新案の好適な実施の形態だけであり、本発明に限定するものではない。当業者にとっては、本実用新案が各々の更改と変化することができる。本実用新案の趣旨及び範囲を逸脱することなく実施された何ら修正、同一入れ替え及び改良等、すべて本発明の保護範囲に属する。
【図１】
0003216875.tif 000003
【図２】
0003216875.tif 000004